(57)【要約】【課題】手指の握力が弱い人や筋力低下・麻痺等の機能障害のある人等、指・手・腕の自由度が低い場合でも、保持し易い形で把持し開栓できるとともに、外径にバラツキのあるキャップに適合し、王冠、キャップ、およびプルタブの開栓に対応できるオープナーを提供する。【解決手段】一体構造を有する基体１が、リング部２と、一端を開放端とした円弧部４と、線状部６とからなり、リング部２と、円弧部４と、線状部６とを、一体として略８の字状の正面視形状となるように配置するとともに、リング部２の内側面の一部に引掛け部３を形成し、円弧部４の内側面および線状部６の側面の一部に複数の突起部５を形成し、線状部６の開放端にくさび状部７を形成するとともに、基体１を金属材料からなるものとする【選択図】図１
2017024750.tif 000002
【特許請求の範囲】
【請求項１】
一体構造を有する基体が、リング部と、一端を開放端とした円弧部と、線状部とからなり、前記リング部と、前記円弧部と、前記線状部とを、全体として略８の字状の正面視形状となるように配置するとともに、前記リング部の内側面の一部に引掛け部を形成し、前記円弧部の内側面および前記線状部の側面の一部に複数の突起部を形成し、前記線状部の開放端にくさび状部を形成することを特徴とするオープナー。
【請求項２】
前記基体が金属材料からなることを特徴とする請求項１に記載のオープナー。
【発明の詳細な説明】
【技術分野】
【０００１】
本発明は、高齢者等の手指の筋力・握力が弱い人、機能障害を持つ人等が、飲料容器等の瓶の王冠、ＰＥＴボトル等のスクリューキャップや缶のプルタブを開栓する際に使用するオープナーに関するものである。
【背景技術】
【０００２】
飲料容器等の瓶、ボトルや缶の開栓は日常生活で必須の作業であり、生活の質（ＱＯＬ）に係る重要な要素である。しかし握力の弱い人、手指の筋力低下や機能障害を伴う人には負担となる作業であるため、ＱＯＬの向上を支援するオープナーが望まれる。ところが一般的なオープナーは市場に多く見られるものの、開栓に困難を持つこれらの人々を支援するオープナーは少ない。
【０００３】
特許文献１には、手指の把持力が弱い人のキャップオープナーとして、キャップの側面を両側から挟み、長い握り部を握りながら回転して開栓するオープナーが開示されている。この方法は握り部を深く握り込むことが求められるが、弱い力で開栓可能なオープナーとなっている。一般にＰＥＴボトル等のキャップは製品により外径のバラツキがあり、そのため挟み構造のオープナーが考案されている。この場合棒状の握り部をキャップがしっかり挟持できるまで握り込む必要があり、手指の握り機能に障害がある場合には使用が困難となる。また、瓶の王冠の開栓には対応していない。
【０００４】
特許文献２には、全体として四葉のクローバーに似た形状とし、中央にキャップを挟持する空洞部を設け、側面の一部を開口部としてキャップを側面からも挿入できるようにしたものが開示されている。この方法はクローバー状の幅のある形状であるため把持し易く、指の付け根付近でオープナーを把持して開栓することが可能となる利点がある。しかし中央の空洞部をキャップ径より大きく取ることで、オープナーのキャップへの装着を容易にしている反面、キャップの挟持は手指の力に全て依存するという課題が残る。また瓶の王冠や、缶のプルタブの開栓には対応していない。
【０００５】
特許文献３には、ヘアピン形状で、頭部分でキャップを挟持し、握り込んで開栓するオープナーが開示されている。この方法は握り部をしっかり握ることが求められるが、弱い力で開栓可能なオープナーとなっている。しかし特許文献１と同様に、キャップをしっかり挟持できるまで棒状の握り部を握り込む必要があり、手指の握り機能に障害がある場合には使用が困難となる。また、プルタブの開栓に際しても棒状のオープナーをしっかり把持する必要があり、瓶の王冠の開栓には対応していない。
【０００６】
特許文献４には、キャップを挿入する円孔部と、手指で握る把持部とからなるオープナーが開示されている。把持部の他端にはプルタブの開栓用に爪状部が設けられている。また磁石やレンズを装備し便を図っている。この方法は幅を有する把持部があるため、握り込みが浅くても開栓可能なオープナーとなっている。しかし固定径の円孔部を持つためキャップ径のバラツキに対応するのが困難であり、瓶の王冠の開栓には対応していない。
【先行技術文献】
【特許文献】
【０００７】
【特許文献１】特開２００６−１６８８２４号公報
【特許文献２】特開２０１１−８８６６５号公報
【特許文献３】実案３１７１３４７号公報
【特許文献４】特開２０１２−８１９７５号公報
【発明の概要】
【発明が解決しようとする課題】
【０００８】
解決しようとする問題点は、飲料容器等をオープナーで開栓する際に、手指の握力が弱い人、筋力低下や麻痺等の機能障害がある人等は、指・手・腕の自由度が低いため、オープナーの既定の握り手を深く握り込み回転させる動作が困難となる点であり、また同じ様な容器でもメーカーによりキャップの外径にはバラツキがあるため、適合しないものがある点であり、また一台のオープナーで王冠、キャップ、およびプルタブの全ての開栓に対応できるものがない点である。
【課題を解決するための手段】
【０００９】
本発明によるオープナーは、一体構造を有する基体が、リング部と、一端を開放端とした円弧部と、線状部とからなり、リング部と、円弧部と、線状部とを、全体として略８の字状の正面視形状となるように配置するとともに、リング部の内側面の一部に引掛け部を形成し、円弧部の内側面および線状部の側面の一部に複数の突起部を形成し、線状部の開放端にくさび状部を形成するとともに、また一体構造の基体が金属材料からなるものとする。
【発明の効果】
【００１０】
本発明のオープナーでは、手指の握力が弱い人や麻痺等の機能障害がある人で深い握り込みが困難な人でも、リング部と、円弧部と、線状部とを、全体として略８の字状の正面視形状となるように配置するため、把持し易い指形で握り、容易に開栓できるようになるとともに、キャップ用の円弧部が可撓性を有するため、バラツキのあるキャップ外径にも適合し、また一体構造の基体に設けたリング部と、円弧部と、線状部との３種の開栓機構により、王冠、キャップ、プルタブの開栓が可能となる。
【図面の簡単な説明】
【００１１】
【図１】図１は本発明によるオープナーの一例を示す斜視図である。
【図２】図２は本発明によるオープナーの一例を示す正面図である。
【図３】図３は本発明によるオープナーの一例を別の配置で見た場合の正面図である。
【図４】図４は本発明によるオープナーの一例を王冠オープナーとして使用する場合の把持方法の一例を示す概要図である。
【図５】図５は本発明によるオープナーの一例をキャップオープナーとして使用する場合の把持方法の一例を示す概要図である。
【図６】図６は本発明によるオープナーの一例をプルタブオープナーとして使用する場合の把持方法の一例を示す概要図である。
【発明を実施するための形態】
【００１２】
本発明は、握力の弱い人、手指に筋力低下のある人や麻痺等の機能障害のある人が用いる飲料容器等の開栓用のオープナーに関し、リング部と、円弧部と、線状部とを、全体として略８の字状の正面視形状となるように配置して、オープナーの把持、操作を容易にし、またリング部に引掛け部を形成し、円弧部および線状部に複数の突起部を形成し、線状部にくさび状部を形成して、王冠、キャップ、プルタブの３種の開栓に対応可能とし、また基体を金属材料とし円弧部の可撓性や弾性強度を付与して、キャップ外径のバラツキへの対応を可能にする。以下、実施例を挙げ図面を参照して説明する。
【実施例】
【００１３】
図１は本発明によるオープナーの一例を示す斜視図で、１は基体、２はリング部、３は引掛け部、４は一端を開放端とした円弧部、５は複数の突起部、６は線状部、７はクサビ状部である。図２は本発明によるオープナーの一例を示す正面図で、図３は本発明によるオープナーの一例を別の配置で見た場合の正面図である。いずれも略８の字状の外形（正面視形状）であることを示している。
【００１４】
基体１は本発明におけるオープナーの本体で一体構造をしている。基体１の材料としては開栓時の応力に耐える程度の強度を保持し、キャップを挟持する弾性強度を有するものであれば特に限定されない。樹脂、金属等が使用可能である。金属の王冠エッジが鋭利であるため、耐久性、コストの観点からは金属が好ましい。金属の種類としては、鉄、ニッケル、アルミ、銅、亜鉛、錫、銀、金、チタン、ステンレス等やこれらを含む合金等が適用可能である。
【００１５】
一体構造の基体１は、リング部２と、一端を開放端とした円弧部４と、線状部６とを、全体が略８の字状の正面視形状となるように配置してなるものである（図２、図３）。略８の字状の正面視形状は、３種（王冠、キャップ、プルタブ）の開栓機構を集約し、かつ把持し易く最小サイズになる構造を追及する中で見出されたものである。
【００１６】
王冠は「テコの原理」で開栓するため、リング部２に王冠のエッジを引掛ける引掛け部３を形成する（図１）。図１に示すように、引掛け部３としてザグリのような凹部をリング部２に形成すると、引掛け部３が正面から見えなくなりデザイン性が優れたものとなる（図２、図３）。しかし本発明では、引掛け部３として凸部を形成する方法もあり、引掛け部３の形状は特に限定されない。本発明は３Ｄプリンターを用いてなされたもので、他の汎用の成型方法による場合は、引掛け部３を形成方法に適した形状にすることができる。
【００１７】
バラツキのあるキャップ外径に適合できるようにするため、円弧部４の一端は開放端とし可撓性を持たせる（図２、図３）。また円弧部４を弾性強度のある材料にすれば、キャップを挟持するための力を不用にすることができる。円弧部４の内側面および線状部６の側面の一部に形成する複数の突起部５は、キャップを挟持し回転する際の摩擦抵抗を付与するために形成するもので形状や数は限定されない。
【００１８】
線状部６の開放端にクサビ状部７を形成するのは、プルタブを引き起し、引掛けるための先端形状を確保するためである。従って線状部６がプルタブを引き起し引掛けることのできる程度に薄い場合は、線状部６の先端をそのままクサビ状部７として使用することもできる。
【００１９】
図４〜図６は、本発明によるオープナーを使用する際の把持方法の一例を示した概要図である。本発明は、握力の弱い人、手指に筋力低下のある人や麻痺等の機能障害のある人が把持し易い形状を追及する中でなされたものである。これらの人は把持力が弱く手指の自由度が低下しているので、指を通してオープナー自体を保持することができる開口部と、浅くまたは指の根本付近で把持できる幅のある握り部とがある本発明のオープナーは、極めて把持し易く使用し易いものとなる。また本発明における略８の字状の正面視形状（外形）は、図４〜図６に示すように３つの開栓機能（王冠、キャップ、プルタブ）の集約とオープナーの把持のし易さとを共に付与するものとなっている。以下に略８の字状の外形が機能集約と把持とに有効であることを、具体的に例を挙げ説明する。ただし、本発明はここで示される指の形、把持の方法に限定されるものではなく、使用する人の手指、腕等の自由度や把持力に適した方法をとることが可能であることは言うまでもない。
【００２０】
図４に、王冠開栓の場合にとる把持方法の一例を示す。各指をオープナーの窪み部分に当て、安定した把持ができる様子を示している。また握りは一般の棒状の握り手と比べて本発明では幅を有する基体１（円弧部４）であるため深く握り込む必要がなく、さらに指の根本近くでも把持できるため開栓に大きな力を要しない。
【００２１】
図５に、キャップ開栓の場合にとる把持方法の一例を示す。親指をリング部２に挿入することで安定した保持ができる様子を示している。また握りは一般の棒状の握り手と比べて本発明では幅を有する基体１（円弧部４）であるため深く握り込む必要がなく、さらに指の根本近くでも把持できるため開栓に大きな力を要しない。
【００２２】
図６に、プルタブ開栓の場合にとる把持方法の一例を示す。親指を円弧部４に挿入することで安定した保持ができる様子を示している。また握りは一般の棒状の握り手と比べて本発明では幅を有する基体１（リング部２）であるため深く握り込む必要がなく、さらに指の根本近くでも把持できるため開栓に大きな力を要しない。
【産業上の利用可能性】
【００２３】
本発明によると、手指に筋力低下や麻痺等の機能障害を伴う人でも把持し易い指形で握り、力を要せず容易に開栓できるようになり、またバラツキのあるキャップ外径に適合するとともに、王冠、キャップ、プルタブの開栓が可能なオープナーとなる。
【符号の説明】
【００２４】
１    基体
２    リング部
３    引掛け部
４    円弧部
５    突起部
６    線状部
７    くさび状部
【図１】
2017024750.tif 000003
【図２】
2017024750.tif 000004
【図３】
2017024750.tif 000005
【図４】
2017024750.tif 000006
【図５】
2017024750.tif 000007
【図６】
2017024750.tif 000008